(57)【要約】【課題】従来のタグ情報処理装置においては、最適なタグの貼り付け位置を判断できないという課題があった。【解決手段】物品の表面の異なる領域に配置された、同じ構造を有する複数のＲＦＩＤタグ２１であって、記録されている識別情報が異なる複数のＲＦＩＤタグ２１に対して、読み出しに用いられる電波の出力強度を変えてそれぞれ行われた複数回の読み出し処理により、ＲＦＩＤタグ２１から読み出された識別情報を受け付ける識別情報受付部１３と、電波の出力強度別に、識別情報のそれぞれが読み出された回数を集計する集計部１４と、電波の出力強度別の、集計部１４の集計結果を出力する出力部１６とを具備するようにした。【選択図】図１
2008257500.tif 000002
【特許請求の範囲】
【請求項１】
物品の表面の異なる領域に配置された、同じ構造を有する複数のＲＦＩＤタグであって、記録されている識別情報が異なる複数のＲＦＩＤタグに対して、読み出しに用いられる電波の出力強度を変えてそれぞれ行われた複数回の読み出し処理により、前記ＲＦＩＤタグから読み出された前記識別情報を受け付ける識別情報受付部と、
前記電波の出力強度別に、前記識別情報のそれぞれが読み出された回数を集計する集計部と、
前記電波の出力強度別の、前記集計部の集計結果を出力する出力部とを具備するタグ情報処理装置。
【請求項２】
物品の表面の異なる領域に配置された、同じ構造を有する複数のＲＦＩＤタグであって、記録されている識別情報が異なる複数のＲＦＩＤタグに対して、読み出しに用いられる電波の出力強度を変えてそれぞれ行われた複数回の読み出し処理により、前記ＲＦＩＤタグから読み出された前記識別情報を受け付ける識別情報受付部と、
前記電波の出力強度別に、前記複数のタグの識別情報がそれぞれ読み出された回数を集計する集計部と、
前記電波の出力強度別の、前記集計部の集計結果を用いて、前記識別情報が読み出し率が最大であり、かつ、読み出しに用いられた電波の出力強度が最も弱い集計結果を検出する検出部と、
前記検出部が検出した集計結果に対応したＲＦＩＤタグが配置されている位置が、前記物品のＲＦＩＤタグを配置する最適な位置であることを示す出力を行う出力部とを具備するタグ情報処理装置。
【請求項３】
前記複数回のＲＦＩＤタグの読み出し処理は、前記物品に対する電波を照射する位置を変更して行われる請求項１または請求項２記載のタグ情報処理装置。
【請求項４】
前記識別情報受付部は、
前記複数のＲＦＩＤタグに対して、配置される向きが異なるように、前記物品と同じ構造の物品である第二物品の表面に配置された、記録されている識別情報が互いに異なる前記ＲＦＩＤタグと同じ構造の複数のＲＦＩＤタグに対して、読み出しに用いられる電波の出力強度を変えて、それぞれ行われた複数回の読み出し処理により、前記ＲＦＩＤタグから読み出された前記識別情報をさらに受け付け、
前記集計部は、前記電波の出力強度別に、第二物品の表面に配置されたＲＦＩＤタグから読み出された前記識別情報の、それぞれが読み出された回数をさらに集計する請求項１から請求項３いずれか記載のタグ情報処理装置。
【請求項５】
前記複数のＲＦＩＤタグに対して、電波の出力強度を変えて、異なる電波の出力強度毎に複数回の識別情報の送信を指示する情報の送信を行う送信部と、
前記送信部から送信される情報の送信に応じて、前記ＲＦＩＤタグから送信される識別情報を受信して、受信した識別情報を前記識別情報受付部に出力する受信部を更に具備する請求項１から請求項４いずれか記載のタグ情報処理装置。
【請求項６】
ＲＦＩＤタグを配置する位置を判断する処理に用いられる梱包材であって、
同じ構造を有しており、記録されている識別情報が異なる複数のＲＦＩＤタグが、表面の異なる領域に配置されている梱包材。
【請求項７】
請求項６記載の梱包材を少なくとも２以上含む梱包材セットであって、
前記各梱包材の表面に配置された複数のＲＦＩＤタグの配置されている向きが、互いに異なる梱包材セット。
【請求項８】
物品の表面の異なる領域に配置された、同じ構造を有する複数のＲＦＩＤタグであって、記録されている識別情報が異なる複数のＲＦＩＤタグに対して、読み出しに用いられる電波の出力強度を変えてそれぞれ行われた複数回の読み出し処理により、前記ＲＦＩＤタグから読み出された前記識別情報を受け付ける識別情報受付ステップと、
前記電波の出力強度別に、前記識別情報のそれぞれが読み出された回数を集計する集計ステップと、
前記電波の出力強度別の、前記集計ステップによる集計結果を出力する出力ステップとを具備するタグ情報処理方法。
【請求項９】
物品の表面の異なる領域に配置された、同じ構造を有する複数のＲＦＩＤタグであって、記録されている識別情報が異なる複数のＲＦＩＤタグに対して、読み出しに用いられる電波の出力強度を変えてそれぞれ行われた複数回の読み出し処理により、前記ＲＦＩＤタグから読み出された前記識別情報を受け付ける識別情報受付ステップと、
前記電波の出力強度別に、前記複数のタグの識別情報がそれぞれ読み出された回数を集計する集計ステップと、
前記電波の出力強度別の、前記集計部の集計結果を用いて、前記識別情報が読み出し率が最大であり、かつ、読み出しに用いられた電波の出力強度が最も弱い集計結果を検出する検出ステップと、
前記検出部が検出した集計結果に対応したＲＦＩＤタグが配置されている位置が、前記物品のＲＦＩＤタグを配置する最適な位置であることを示す出力を行う出力ステップとを具備するタグ情報処理方法。
【請求項１０】
コンピュータに、
物品の表面の異なる領域に配置された、同じ構造を有する複数のＲＦＩＤタグであって、記録されている識別情報が異なる複数のＲＦＩＤタグに対して、読み出しに用いられる電波の出力強度を変えてそれぞれ行われた複数回の読み出し処理により、前記ＲＦＩＤタグから読み出された前記識別情報を受け付ける識別情報受付ステップと、
前記電波の出力強度別に、前記識別情報のそれぞれが読み出された回数を集計する集計ステップと、
前記電波の出力強度別の、前記集計ステップによる集計結果を出力する出力ステップとを実行させるためのプログラム。
【請求項１１】
コンピュータに、
物品の表面の異なる領域に配置された、同じ構造を有する複数のＲＦＩＤタグであって、記録されている識別情報が異なる複数のＲＦＩＤタグに対して、読み出しに用いられる電波の出力強度を変えてそれぞれ行われた複数回の読み出し処理により、前記ＲＦＩＤタグから読み出された前記識別情報を受け付ける識別情報受付ステップと、
前記電波の出力強度別に、前記複数のタグの識別情報がそれぞれ読み出された回数を集計する集計ステップと、
前記電波の出力強度別の、前記集計部の集計結果を用いて、前記識別情報が読み出し率が最大であり、かつ、読み出しに用いられた電波の出力強度が最も弱い集計結果を検出する検出ステップと、
前記検出部が検出した集計結果に対応したＲＦＩＤタグが配置されている位置が、前記物品のＲＦＩＤタグを配置する最適な位置であることを示す出力を行う出力ステップとを実行させるためのプログラム。
【発明の詳細な説明】
【技術分野】
【０００１】
本発明は、梱包材に貼り付けられたタグの情報を処理するタグ情報処理装置等に関するものである。
【背景技術】
【０００２】
従来のタグ情報処理装置として、物品に付加されたＩＣタグ等のＲＦＩＤ（ｒａｄｉｏ  ｆｒｅｑｕｅｎｃｙ  ｉｄｅｎｔｉｆｉｃａｔｉｏｎ）タグを用いて、在庫管理を行う在庫管理システム等があった（例えば、特許文献１参照）。
【０００３】
一般に、物品にＲＦＩＤタグ（以下、タグと称す）を付加する場合、タグを配置する位置によって、タグから情報を読み取る際の、読み取りが成功する割合である読み取り率が変化することが知られている。
【特許文献１】特開２００６−２６４９４２号公報（第１頁、第１図等）
【発明の開示】
【発明が解決しようとする課題】
【０００４】
しかしながら、従来は、物品のどのような位置に、ＲＦＩＤタグを貼り付けることが最適であるかを判断することができない、という課題があった。
【０００５】
例えば、上記のようにタグを用いて物品等の管理を行う際には、タグから情報を読み取る際の読み取り率がより高いことが好ましい。その一方で、このようなタグ情報処理装置等においては、タグを読み出す際に発生する混信等を抑えるために、タグの情報を読み出す際に用いる電波の出力強度をできるかぎり弱くすることが好ましい。したがって、できる限り弱い電波を用いた読み出しにおいて、高い読み取り率が得られるような位置に、タグを付加することが最適であると考えられる。
【０００６】
しかしながら、このような位置が、物品表面のどの位置かを判断することが困難であった。このため、経験則や直感や見た目等に頼って、タグを貼り付けることが多く、タグの読み取りミス等が発生する可能性が高くなり、物品の管理等が適切に行えない場合があった。
【課題を解決するための手段】
【０００７】
本発明のタグ情報処理装置は、物品の表面の異なる領域に配置された、同じ構造を有する複数のＲＦＩＤタグであって、記録されている識別情報が異なる複数のＲＦＩＤタグに対して、読み出しに用いられる電波の出力強度を変えてそれぞれ行われた複数回の読み出し処理により、前記ＲＦＩＤタグから読み出された前記識別情報を受け付ける識別情報受付部と、前記電波の出力強度別に、前記識別情報のそれぞれが読み出された回数を集計する集計部と、前記電波の出力強度別の、前記集計部の集計結果を出力する出力部とを具備するタグ情報処理装置である。
【０００８】
かかる構成により、読み出しに用いられる電波の出力強度に応じた、識別情報の読み出し回数から、より弱い出力強度で、効率良く情報を読み出すことが可能な、物品上におけるＲＦＩＤタグを配置する位置を判断することができ、ＲＦＩＤタグを配置する最適な位置を判断することができる。
【０００９】
また、本発明のタグ情報処理装置は、前記タグ情報処理装置において、物品の表面の異なる領域に配置された、同じ構造を有する複数のＲＦＩＤタグであって、記録されている識別情報が異なる複数のＲＦＩＤタグに対して、読み出しに用いられる電波の出力強度を変えてそれぞれ行われた複数回の読み出し処理により、前記ＲＦＩＤタグから読み出された前記識別情報を受け付ける識別情報受付部と、前記電波の出力強度別に、前記複数のタグの識別情報がそれぞれ読み出された回数を集計する集計部と、前記電波の出力強度別の、前記集計部の集計結果を用いて、前記識別情報が読み出し率が最大であり、かつ、読み出しに用いられた電波の出力強度が最も弱い集計結果を検出する検出部と、前記検出部が検出した集計結果に対応したＲＦＩＤタグが配置されている位置が、前記物品のＲＦＩＤタグを配置する最適な位置であることを示す出力を行う出力部とを具備するタグ情報処理装置である。
【００１０】
かかる構成により、より弱い出力強度で、効率良く情報を読み出すことが可能な、物品上におけるＲＦＩＤタグを配置する位置を、知ることができ、ＲＦＩＤタグを配置する最適な位置を判断することができる。
【００１１】
また、本発明のタグ情報処理装置は、前記タグ情報処理装置において、前記複数回のＲＦＩＤタグの読み出し処理は、前記物品に対する電波を照射する位置を変更して行われるタグ情報処理装置である。
【００１２】
かかる構成により、実際の使用状況に近い条件で、最適なＲＦＩＤタグを配置する位置を判断することができ、より効率のよいＲＦＩＤタグの配置位置を知らせることができる。
【００１３】
また、本発明のタグ情報処理装置は、前記タグ情報処理装置において、前記識別情報受付部は、前記複数のＲＦＩＤタグに対して、配置される向きが異なるように、前記物品と同じ構造の物品である第二物品の表面に配置された、記録されている識別情報が互いに異なる前記ＲＦＩＤタグと同じ構造の複数のＲＦＩＤタグに対して、読み出しに用いられる電波の出力強度を変えて、それぞれ行われた複数回の読み出し処理により、前記ＲＦＩＤタグから読み出された前記識別情報をさらに受け付け、前記集計部は、前記電波の出力強度別に、第二物品の表面に配置されたＲＦＩＤタグから読み出された前記識別情報の、それぞれが読み出された回数をさらに集計するタグ情報処理装置である。
【００１４】
かかる構成により、ＲＦＩＤタグの向きを考慮して最適なタグの貼り付け位置を判断することができる。
【００１５】
また、本発明のタグ情報処理装置は、前記タグ情報処理装置において、前記複数のＲＦＩＤタグに対して、電波の出力強度を変えて、異なる電波の出力強度毎に複数回の識別情報の送信を指示する情報の送信を行う送信部と、前記送信部から送信される情報の送信に応じて、前記ＲＦＩＤタグから送信される識別情報を受信して、受信した識別情報を前記識別情報受付部に出力する受信部を更に具備するタグ情報処理装置である。
【００１６】
かかる構成により、送受信を行って、ＲＦＩＤタグを配置する最適な位置を判断することができる。
【００１７】
本発明にかかる梱包材は、ＲＦＩＤタグを配置する位置を判断する処理に用いられる梱包材であって、同じ構造を有しており、記録されている識別情報が異なる複数のＲＦＩＤタグが、表面の異なる領域に配置されている梱包材である。
【００１８】
かかる構成により、梱包材上におけるＲＦＩＤタグを配置する位置を判断する処理を、迅速にかつ容易に行うことができる。
【００１９】
本発明にかかる梱包材は、上記梱包材を少なくとも２以上含む梱包材セットであって、前記各梱包材の表面に配置された複数のＲＦＩＤタグの配置されている向きが、互いに異なる梱包材セットである。
【００２０】
かかる構成により、ＲＦＩＤタグの向きを考慮して最適なタグの貼り付け位置を判断することができる。
【発明の効果】
【００２１】
本発明によるタグ情報処理装置等によれば、物品上におけるＲＦＩＤタグを配置する最適な位置を判断することができる。
【発明を実施するための最良の形態】
【００２２】
以下、タグ情報処理装置等の実施形態について図面を参照して説明する。なお、実施の形態において同じ符号を付した構成要素は同様の動作を行うので、再度の説明を省略する場合がある。
【００２３】
（実施の形態）
図１は、本実施の形態におけるタグ情報処理装置のブロック図である。
【００２４】
タグ情報処理装置１は、送受信アンテナ１０、送信部１１、受信部１２、識別情報受付部１３、集計部１４、検出部１５、出力部１６を具備する。
【００２５】
また本実施の形態においては、タグ情報処理装置１により、最適なタグの貼り付け位置を判断するために、複数のＲＦＩＤタグを配置した物品２０を用いる。
【００２６】
図２は、本実施の形態における物品を示す模式図である。
【００２７】
物品２０の表面には、記録されている識別情報が異なる複数のＲＦＩＤタグ２１が配置されている。複数のＲＦＩＤタグ２１は、同じ構造を有しており、物品２０の表面の異なる領域に配置されている。ただし、ここで述べる同じ構造とは、電波特性が同じとなる構造であることも含む。ここでは、例として物品２０が直方体の形状を有しており、複数のＲＦＩＤタグ２１が直方体の底面を除く５面に、配置されている場合について示している。ただし、ＲＦＩＤタグ２１の配置等は問わない。例えば、直方体の物品の一の面のみにＲＦＩＤタグ２１が配置されていても良い。なお、どのＲＦＩＤタグ２１が、物品２０のどの位置に配置されているかを、ユーザが判断できるようにしておくことが好ましい。例えば、物品２０のＲＦＩＤタグ２１が配置されている位置の近傍、もしくはＲＦＩＤタグ２１表面に、当該タグを外観等から識別可能な識別情報等を表示しておくことが好ましい。ここで述べる物品とは、具体的には、ＲＦＩＤタグ２１と同じ構造のＲＦＩＤタグを用いて管理等を行う対象となる物品、または当該物品と同じ物品、もしくは当該物品と同様の物品であり、物品の構造や材質等は問わない。また、ＲＦＩＤタグ２１と同じ構造のＲＦＩＤタグを用いて管理等を行う対象となる物品が、梱包材と、被梱包物とにより構成される場合、ここで述べる物品は、管理対象となる物品を構成する梱包材と同じ梱包材であっても良い。また、この場合、梱包材内には、被梱包物が配置されていなくても良い。梱包材とは、被梱包物の梱包に用いられるものであり、例えば段ボール箱等の箱や、包装紙や、カバー等であり、材質等は問わない。なお、ここでは、ＲＦＩＤタグ２１は、物品全体に対して、表面と考えられる部分に配置されていればよく、ＲＦＩＤタグ２１が表面に露出していなくても良い。例えばＲＦＩＤタグ２１の表面が、カバーや塗料やフィルム上の部材等で覆われていても良い。また、ＲＦＩＤタグ２１が、梱包材の中に埋め込まれている場合も、梱包材は物品の表面を覆うように配置されるものであることから、ここでは、タグが物品の表面に配置されているものと考える。
【００２８】
ＲＦＩＤタグ２１は、識別情報を含む情報を記録しており、外部から送信される、識別情報を読み出しを指示する情報を受信して、当該受信した情報に応じて、識別情報等の情報を読み出して送信する。識別情報は、複数のＲＦＩＤタグ２１を識別可能な情報であれば、どのような情報であっても良い。例えば、製造番号等であっても良いし、タグの名称等であっても良い。また、ＲＦＩＤタグ２１が配置されている位置や領域を示す情報であっても良い。また、この識別情報は、ＲＦＩＤタグの名称や、ＲＦＩＤタグが配置されている位置や領域と対応付けられた情報であっても良い。当該識別情報は、上述した物品２０のＲＦＩＤタグ２１の近傍等に表示される識別情報と同じ識別情報であってもよい。また、異なる識別情報であっても良いが、この場合、同じＲＦＩＤタグ２１についての識別情報同士は、対応付けておくようにすることが好ましい。ＲＦＩＤタグ２１の構造や、動作する周波数帯等は問わない。ＲＦＩＤタグ２１としては、通常、パッシブタイプのＲＦＩＤタグが用いられるが、アクティブタイプのＲＦＩＤタグを用いるようにしても良い。
【００２９】
アンテナ１０は、複数のＲＦＩＤタグ２１に対する情報の送受信に用いられる。アンテナ１０の指向性等は問わない。ここで用いられるアンテナ１０は、ＲＦＩＤタグ２１と同様のＲＦＩＤタグを用いて物品の管理等を行うシステムにおいて用いられるアンテナ１０、もしくは同様のアンテナを用いることが好ましい。また、アンテナ１０と、物品２０との配置関係は、ＲＦＩＤタグを用いて物品の管理等を行うシステムにおける、管理対象となる物品とアンテナとの位置関係と同じ、もしくは同様の位置関係とすることが好ましい。なおここでは、送受信兼用のアンテナを用いた場合について説明しているが、送信用のアンテナと受信用のアンテナとを個別に設けるようにしても良い。
【００３０】
送信部１１は、複数のＲＦＩＤタグ２１に対して、電波の出力強度を変えて、異なる電波の出力強度毎に複数回の識別情報の送信を指示する情報の送信を行う。例えば、予め設定された間隔毎に、指定された出力強度で、送信を指示する情報を送信する処理を繰り返す。出力強度を変える段階数は２段階以上であれば問わない。また、出力強度の変化幅等は問わない。ここでは例として、送信部１１が、アンテナ１０を介して送信を行う場合について説明する。送信部１１は、通常、無線の通信手段で実現されるが、放送手段で実現されても良い。
【００３１】
受信部１２は、送信部１１から送信される情報の送信に応じて、複数のＲＦＩＤタグ２１から送信される識別情報を受信する。そして、受信した識別情報を識別情報受付部１３に出力する。この出力は、バス経由やライン経由の出力であっても良く、また、関数の読み出し等であっても良い。受信部１２は、受信した識別情報を、送信部１１が当該識別情報を読み出すための情報を送信した際の出力強度や、受信処理の処理回の情報等と対応付けて、識別情報受付部１３に出力するようにしてもよい。ここでは例として、受信部１２が、アンテナ１０を介して受信を行う場合について説明する。受信部１２は、無線の通信手段が好適であるが、放送を受信する手段や有線の通信手段でも実現可能である。無線または有線の通信手段等で実現され得る。通常、無線通信手段で実現されるが、放送を受信する手段で実現されても良い。なお、上記の送信部１１と受信部１２として、一般的なＲＦＩＤタグリーダライタを用いるようにしても良い。
【００３２】
識別情報受付部１３は、読み出しに用いられる電波の出力強度を変えてそれぞれ行われた複数回のＲＦＩＤタグ２１の読み出し処理により、ＲＦＩＤタグ２１から読み出された識別情報を受け付ける。また、識別情報と対応付けられて出力された、送信部１１が当該識別情報を読み出すための情報を送信した際の出力強度や、受信処理の処理回を示す情報等も受けつけても良い。ここで述べる受付とは、例えば、受信部１２からの入力信号の受け付けや、他の機器等から送信される入力信号の受信や、記録媒体等からの情報の読み出し等である。この実施の形態においては、例として、受信部１２が出力する識別情報を受け付ける場合について説明する。識別情報受付部１３は、入力信号の読み出し等を行うデバイスのデバイスドライバーや、入力信号の受付を制御するソフトウェア等で実現され得る。
【００３３】
集計部１４は、電波の出力強度別に、識別情報のそれぞれが読み出された回数を集計する。集計部１４は、ＲＦＩＤタグ２１の識別情報に対応付けて、当該識別情報が読み出された回数を集計しても良いし、ＲＦＩＤタグ２１から読み出された識別情報を、当該識別情報に対応したＲＦＩＤタグの名称や、当該識別情報に対応したＲＦＩＤタグが配置された物品上の位置を示す情報や、当該識別情報に対応した物品２０のＲＦＩＤタグ２１の近傍に記載された識別情報等に変換し、この変換した情報に対応付けて、対応する識別情報が読み出された回数を集計しても良い。例えば、読み出されたＲＦＩＤタグ２１の一つのタグの識別情報が、「ＧＩＤ０１５」であり、当該タグに対応するタグの名称が「タグＡＢＣ」であり、このタグが、物品２０の「ＴＯＰ０１」という識別情報で指定される位置に配置されていた場合を考える。この場合において、集計部１４は、「ＧＩＤ０１５」とう識別情報を、識別情報受付部１３が受け付ける毎に、「ＧＩＤ０１５」という識別情報の読み出された回数を１インクリメントしてもよいし、「タグＡＢＣ」というタグの識別情報が読み出された回数を１インクリメントしても良いし、「ＴＯＰ０１」という識別情報で指定される位置に配置されたタグの識別情報が読み出された回数を１インクリメントしても良い。集計部１４は、受信した識別情報が対応する出力強度をどのように判断してもよい。例えば、送信部１１が指示を送信したタイミングと、識別情報を集計する際のタイミング等により、その識別情報が、どの出力強度の電波に対応して得られた識別情報であるかを判断しても良い。また、受信した識別情報と対応付けられて識別情報受付部１３が受け付けた、送信部１１が当該識別情報を読み出すための情報を送信した際の出力強度を示す情報を用いて、受信した識別情報が対応する出力強度等を判断しても良い。また、受信した識別情報と対応付けられて識別情報受付部１３が受け付けた、受信部１２が受信処理を行った回数である処理回を示す情報を用いて、その処理回における出力強度の情報を、図示しない格納部等から取得して、受信した識別情報が対応する出力強度等を判断しても良い。集計部１４は、通常、ＭＰＵやメモリ等から実現され得る。集計部１４の処理手順は、通常、ソフトウェアで実現され、当該ソフトウェアはＲＯＭ等の記録媒体に記録されている。但し、ハードウェア（専用回路）で実現しても良い。
【００３４】
検出部１５は、電波の出力強度別の、集計部１４の集計結果を用いて、識別情報の読み出し率が最大であり、かつ、読み出しに用いられた電波が最も低い集計結果を検出する。具体的には、検出部１５は、集計部１４の集計結果において、読み出し率が最も高く、なおかつ電波の出力強度が最も弱い集計結果（例えば集計値）を検出する。読み出し率は、例えば、出力強度別に、識別情報が読み出された回数を、読み出しを行った総回数で、除算することにより得られた値である。なお、出力強度別の読み出しを行った総回数が同じである場合等には、読み出し回数を読み出し率として用いるようにしても良い。ここで述べる読み出し率とは、出力強度別の読み出し回数の違いを吸収して、集計値同士の大きさを比較できるような値で表すことのできる値であればよい。検出部１５は、通常、ＭＰＵやメモリ等から実現され得る。検出部１５の処理手順は、通常、ソフトウェアで実現され、当該ソフトウェアはＲＯＭ等の記録媒体に記録されている。但し、ハードウェア（専用回路）で実現しても良い。
【００３５】
出力部１６は、検出部１５が検出した集計結果に対応したＲＦＩＤタグ２１が配置されている位置が、物品２０のＲＦＩＤタグ２１を配置する最適な位置であることを示す出力を行う。例えば、出力部１６は、検出部１５が検出した集計結果に対応したＲＦＩＤタグ２１の識別情報、すなわち検出部１５が検出した集計結果が得られたＲＦＩＤタグ２１の識別情報や、タグの名称等の情報を、出力することにより、物品２０に配置された複数のＲＦＩＤタグ２１のうちの、この識別情報やタグの名称等で識別されるＲＦＩＤタグ２１が、配置されている位置が、物品のＲＦＩＤタグ２１を配置する最適な位置であることを示しても良い。また、出力部１６は、検出部１５が検出した集計結果に対応したＲＦＩＤタグ２１が配置されている、物品２０上の位置や領域を指定する情報を、ＲＦＩＤタグ２１を配置する最適な位置であることを示す情報として出力してもよい。また、出力部１６が、物品２０の表面に配置された複数のＲＦＩＤタグ２１についての電波の出力強度別の、集計部１４の集計結果を示す情報を出力するようにしてもよい。この場合において出力する集計結果を示す情報は、例えば、上述したような読み出し率の情報であってもよい。この読み出し率は、例えば、集計部１４や１出力部１６が、集計結果を用いて、演算等により取得しても良い。また、このように集計結果を示す情報を出力する際に、検出部１５が検出した集計結果を、他の集計結果に対して、強調表示して、この集計結果に対応したＲＦＩＤタグ２１が配置されている位置が、物品２０のＲＦＩＤタグ２１を配置する最適な位置であることを示すようにしてもよい。なお、識別情報等から、適宜、対応するタグの名称や、タグの配置される位置の情報等を取得する処理は、集計部１４において説明した処理と同様であるので説明は省略する。以下、他の構成においても同様である。ここで述べる出力とは、ディスプレイへの表示、プリンタによる紙等への印字、外部の装置への送信、記録媒体への蓄積等を含む概念である。出力部１６は、ディスプレイやプリンタ等の出力デバイスを含むと考えても含まないと考えても良い。出力部１６は、出力デバイスのドライバーソフトまたは、出力デバイスのドライバーソフトと出力デバイス等で実現され得る。
【００３６】
次に、タグ情報処理装置１の動作について図３のフローチャートを用いて説明する。ここでは、表面に複数のタグ２１が配置された物品２０が、アンテナ１０からの電波が到達する範囲に配置されている場合を例に挙げて説明する。なお、どのＲＦＩＤタグ２１が、物品２０上のどの位置に配置されているかを判断できるようにしておくことが好ましい。ここでは、例として、物品２０表面のＲＦＩＤタグ２１の近傍に、各ＲＦＩＤタグ２１の名称（以下タグ名と称す）を表示しているものとする。なお、予め電波の出力強度として、ｍ（ｍは２以上の整数）段階の強度レベルの値が用意されているものとする。また、各出力強度において、行われる読み出しの回数は、予め、全て同じ回数であるｎ回（ｎは２以上の整数）に指定されているものとする。また、物品２０に添付された複数のＲＦＩＤタグ２１のそれぞれのタグ名と、各ＲＦＩＤタグ２１に記録されている識別情報とを、対応付けて管理する識別情報管理表が、図示しないメモリ等の記録媒体に予め蓄積されているものとする。
【００３７】
（ステップＳ３０１）送信部１１は、カウンターｋに１を代入する。
【００３８】
（ステップＳ３０２）送信部１１は、タグの読み出しに使用する電波の出力強度をｋ番目の強度レベルに設定する。
【００３９】
（ステップＳ３０３）送信部１１は、カウンターｐに１を代入する。
【００４０】
（ステップＳ３０４）送信部１１は、出力強度をｋ番目の強度レベルに指定して、複数のＲＦＩＤタグ２１に対して、識別情報の読み出しのための、ｐ回目の、識別情報の送信指示を出力する。
【００４１】
（ステップＳ３０５）受信部１２は、出力強度をｋ番目の強度レベルに指定したｐ回目の送信指示の出力に対応して、ＲＦＩＤタグ２１から送信される識別情報を、受信する。また、この識別情報と対応付けて、ｋ番目の出力強度の値等の情報を送信部１１等から受信しても良い。
【００４２】
（ステップＳ３０６）識別情報受付部１３は、受信部１２が受信した識別情報を受け付ける。また、識別情報と対応付けられた、ｋ番目の出力強度の値等の情報を受け付けても良い。
【００４３】
（ステップＳ３０７）集計部１４は、識別情報受付部１３が受け付けた１以上の識別情報を、タグ名に変換する。例えば、上述した識別情報管理表等を用いて、識別情報が一致するレコードを検索して、検索されたレコードに含まれるタグ名を取得する。
【００４４】
（ステップＳ３０８）集計部１４は、ｋ番目の出力強度において読み出しを行った場合における、識別情報が読み出された回数を、例えば識別情報別やタグ名別に、集計する。具体的には、ステップＳ３０６において受け付けた１以上の識別情報の、ｋ番目の出力強度についての識別情報別の集計値、もしくは当該識別情報に対応したタグ名についてのｋ番目の出力強度についての集計値を、所定の値だけインクリメントする。ここでは、例として、ステップＳ３０７で取得された１以上のタグ名に対応したｋ番目の出力強度についての集計値を、それぞれ１インクリメントする。
【００４５】
（ステップＳ３０９）送信部１１は、カウンターｐの値が予め設定した値ｎ以上であるか否かを判断する。ｎ以上であれば、ステップＳ３１０に進み、ｎ未満であればステップＳ３１３に進む。
【００４６】
（ステップＳ３１０）送信部１１は、カウンターｋの値が予め設定した値ｍ以上であるか否かを判断する。ｍ以上であれば、ステップＳ３１２に進み、ｍ未満であれば、ステップＳ３１４に進む。
【００４７】
（ステップＳ３１１）検出部１５は、電波のｍ段階の出力強度別の、集計部１４の集計結果を用いて、識別情報の読み出し率が最大であり、かつ、読み出しに用いられた電波が最も低い集計結果を検出する。例えば、検出部１５は、出力強度別かつタグ名別に、識別情報の読み出し率を算出し、この識別情報の読み出し率が最大であり、かつ、読み出しに用いられた電波が最も低い集計結果を検出する。なお、ここでは、例として、各出力強度における識別情報の読み出し回数が同じ回数であるため、集計結果の値である集計値を読み出し率と考えて、全ての集計結果の中から、出力強度が最も小さく、集計値が最も大きい集計結果を検出してもよい。そして、その集計結果のうちの、最も電波の出力強度が低い場合の集計結果を検出する。
【００４８】
（ステップＳ３１２）出力部１６は、検出部１５が検出した集計結果に対応したＲＦＩＤタグ２１が配置されている位置が、物品２０のＲＦＩＤタグ２１を配置する最適な位置であることを示す情報を出力、例えば表示する。例えば、出力部１６は、検出部１５が検出した集計結果に対応したタグ名を出力する。これにより、ユーザは、物品２０上の、出力されたタグ名を有するＲＦＩＤタグ２１が配置されている位置が、ＲＦＩＤタグ２１を配置する最適な位置であると判断することが可能となる。検出部１５が検出した結果が複数ある場合、複数についてのそれぞれのタグ名等を出力してもよいし、いずれか一方のみを出力してもよい。そして、処理を終了する。
【００４９】
（ステップＳ３１３）送信部１１は、カウンターｐの値を１インクリメントする。
【００５０】
（ステップＳ３１４）送信部１１は、カウンターｋの値を１インクリメントする。
【００５１】
なお、図３のフローチャートにおいて、ステップＳ３０７において、識別情報をタグ名に変換したが、このステップを省略して、タグ名に変換しなくても良い。この場合、ステップＳ３０７以降の処理においては、適宜、タグ名の代わりに、識別情報を利用するようにすればよい。
【００５２】
また、この場合、ステップＳ３１２等で、識別情報を、タグ名に変換するようにしても良い。
【００５３】
また、ステップＳ３１１の処理を省略して、ステップＳ３１２において、出力強度別の集計結果を、例えば表等を用いて出力するようにしてもよい。このようにすることで、ユーザが、集計結果の出力から、識別情報の読み出し率が最大であり、かつ、読み出しに用いられた電波が最も低い集計結果を検出して、当該集計結果に対応したＲＦＩＤタグ２１が配置されている位置、もしくはその近傍が、物品２０のＲＦＩＤタグ２１を配置する最適な位置であることを判断することが可能となる。
【００５４】
なお、図３のフローチャートにおいて、電源オフや処理終了の割り込みにより処理は終了する。
【００５５】
以下、本実施の形態におけるタグ情報処理装置の具体的な動作について説明する。タグ情報処理装置１の概念図は図４である。
【００５６】
ここでは、物品２０とアンテナ１０との位置関係は、実際に倉庫等で、物品２０と同様の物品を、ＲＦＩＤタグ２１を用いて管理する際の状況と同じ、もしくは同等の位置関係にあるものとする。
【００５７】
この具体例においては、物品２０として、梱包材の一つである段ボール箱を用いた場合を例に挙げて説明する。実際の物品の管理等を行う際には、例えば、この物品２０と同様の材質、および大きさの段ボール箱の中に、所望の製品等が被梱包物として梱包された物品が管理されるものとする。
【００５８】
物品２０は、直方体の形状を有しており、下面を除いた５つの面に、複数のＲＦＩＤタグ２１が、重ならないように配置、ここでは貼付しておく。タグ２１の枚数や配置する位置等は問わない。ただし、複数のタグ２１は、実際にタグを配置する可能性のある位置を含むように配置することが好ましい。また、各ＲＦＩＤタグ２１が貼付されている位置の近くには、各ＲＦＩＤタグ２１の名称を示すラベル、例えば「タグＡ」等のＲＦＩＤタグの名称が記載されたラベルを貼付しておく。なお、ラベルを貼付する代わりに各ＲＦＩＤタグ２１の名称を、物品２０表面の当該タグが貼付されている位置近傍にマーカー等で記載しておくようにしてもよい。あるいは、ＲＦＩＤタグ２１の表面に、タグ名を記載しておいても良い。各ＲＦＩＤタグのタグ名と、各ＲＦＩＤタグに記録されている識別情報とは、例えば、識別情報管理表として、タグ情報処理装置１内の図示しないメモリ等の記録媒体に蓄積されている。
【００５９】
図５は、識別情報とＲＦＩＤタグの名称との対応を管理する識別情報管理表を示す図である。識別情報管理表は、「識別情報」と「タグ名」という属性を有している。「識別情報」は、ＲＦＩＤタグ２１に記録されている識別情報である。「タグ名」は、ＲＦＩＤタグ２１の名称であり、ここでは、物品２０表面の各ＲＦＩＤタグ２の近傍に貼付されているラベルに記載されているタグ名に相当する。同じＲＦＩＤタグ２１の「識別情報」の属性値と、「タグ名」の属性値とは、同じレコードに格納されている。
【００６０】
まず、図４に示すように、複数のタグ２１を配置した物品２０を、ＲＦＩＤタグ２１の情報を読み出す位置に配置する。そして、読み出しを開始する。
【００６１】
ここでは、電波の出力強度を、強から弱までの１０段階で変化させて読み出しを行うこととする。出力強度が「強」の場合の出力値を、仮に「１００」とし、「弱」の場合の出力値を「１０」とする。また、その間の出力強度は、出力値を「１０」単位で変化させたものであるとする。また、各出力強度においては、５０回の読み出しが行われるものとする。
【００６２】
まず、出力強度の値を「１００」に設定して、送信部１１から識別情報を読み出す情報、例えば読み出しコマンド、を送信して、第１回目の読み出しを行う。
【００６３】
アンテナ１０から読み出すための情報が、物品２０に対して送信されると、このコマンドを受信した１以上のＲＦＩＤタグ２１は、内部に記録されている識別情報を読み出して、送信する。そして、ＲＦＩＤタグ２１から送信された識別情報を、受信部１２が、アンテナ１０を介して受信する。このとき、ＲＦＩＤタグ２１の配置された位置によっては、電波が届きにくく、コマンドがＲＦＩＤタグ２１に届かなかったり、ＲＦＩＤタグから出力された識別情報がアンテナ１０に届かなかったりして、正常に、識別情報が読み出されない。
【００６４】
受信部１２は、受信した識別情報を、識別情報受付部１３に出力する。識別情報受付部１３が識別情報を受け付けると、集計部１４は、受け付けた識別情報を、コマンド送信時の出力強度別に、集計していく。ここでは、識別情報受付部１３が受け付けた識別情報を、図５に示した識別情報管理表を用いて、タグ名に変換し、タグ名毎に、受け付けた識別情報の回数を集計していく。
【００６５】
例えば、識別情報受付部１３が受け付けた識別情報の中に、「Ｇｉｄ−６４−１：１０．１０．１」という識別情報が存在した場合、この識別情報を、図５に示した識別情報管理表を用いて、「タグＡ」というタグ名に変換する。そして、出力強度が「１００」である場合における「タグＡ」に対応した識別情報の出現回数の集計値を、１インクリメントする。図６は、識別情報の出現回数を集計する際に用いられる集計テーブルの例を示す図である。
【００６６】
そして、識別情報受付部１３が受け付けた全ての識別情報についての集計の終了後、再度、出力強度の値を「１００」にしたまま、上記と同様の処理を繰り返す。
【００６７】
上記の処理の繰り返しが終了後、出力強度の値を、次の強度レベル、ここでは出力強度の値を「９０」にして、同様に５０回の読み出し処理を繰り返す。通常、出力強度が低くなると、ＲＦＩＤタグ２１が読み出される割合が低下していく。
【００６８】
さらに、強度レベルの値を「１０」単位で下げながら、上記の処理を、出力強度を９段階下げるまで繰り返す。
【００６９】
そして、全１０段階の出力強度によるＲＦＩＤタグ２１の読み出し処理を終了した時点で、検出部１５は、集計結果を用いて、各集計結果の値である集計値から、識別情報の読み出し率を算出する。具体的には、各集計結果の集計値を、読み出し回数である「５０」で除算後、「１００」を乗算した値である読み出し率を算出する。
【００７０】
図７は、集計部１４が集計した、読み出し処理が終了した時点での集計結果と、検出部１５が算出した読み出し率とを管理する集計結果管理表である。集計結果管理表は、「タグ名」、「出力強度」、「集計結果」、「読み出し率」という属性を有している。「タグ名」は、ＲＦＩＤタグ２１の名称である。「出力強度」は、識別情報の読み出しに利用される電波の出力強度である。「集計結果」は、同じレコードの「タグ名」属性が示すＲＦＩＤタグの識別情報が、同じレコードの「出力強度」属性が示す出力強度の電波で読み出された回数の集計値を示す。単位は回である。また、読み出し率は、「集計結果」属性を、読み出しの処理回数に対する比率をパーセント表示したものである。例えば、図７において、出力強度が「４０」の場合において、タグ名が「タグＤ］であるＲＦＩＤタグ２１の集計結果の集計値、すなわちタグ名が「タグＤ］であるＲＦＩＤタグ２１が読み出された回数は「３７回」であり、読み出し率は「７４％」である。
【００７１】
次に、検出部１５は、図７に示したような読み出し率の結果を含む集計結果管理表を用いて、識別情報の読み出し率が最大であり、かつ、読み出しに用いられた電波が最も低い集計結果を検出する。具体的には、まず、集計結果管理表が示す全てのレコードの中から、「読み出し率」の属性値が最も大きいレコードを検索する。図７においては、最も読み出し率の大きい値は、「１００％」であるため、読み出し率が「１００％」である集計結果を検索する。そして、その検索結果が示すレコードのうちの、最も「出力強度」属性が低いレコードを検索する。例えば、「読み出し率」により検索されたレコードを、「出力強度」の値の小さい順にソートして、最も「出力強度」の値の小さいレコードを検出する。この検出されたレコードに含まれる「集計結果」属性の値が、識別情報の読み出し率が最大であり、かつ、読み出しに用いられた電波が最も低い集計結果である。ここでは、「タグ名」の属性値が「タグＣ」で、「出力強度」の属性値が「５０」であるレコードに含まれる「集計結果」の属性値「５０」が、最も読み出し率が高く（１００％）、電波の出力強度が最も低い（５０）場合の集計結果であると判断されたとする。
【００７２】
出力部１６は、検出部１５の検出した集計結果に対応したＲＦＩＤタグ２１が配置されている位置が、物品２０のＲＦＩＤタグ２１を配置する最適な位置であることを示す表示を、ディスプレイ１６ａを用いて行う。具体的には、出力部１６は、検出部１５が集計結果管理表から検出した、識別情報の読み出し率が最大であり、かつ、読み出しに用いられた電波が最も低い集計結果を含むレコードの「タグ名」属性、すなわち「タグＣ」を取得する。そして、「タグＣ」の位置が、ＲＦＩＤタグ２１を配置する上で最適な位置であること示す表示を行う。
【００７３】
図８は、出力部１６の表示例を示す図である。ここでは、図８に示すように、図７に示すような集計結果管理表を、行を「タグ名」、列を「出力強度」に設定した表である集計結果表に変形して表すとともに、「タグＣ」の「タグ名」のセルの横に、このタグ名のＲＦＩＤタグ２１が配置されている位置が、ＲＦＩＤタグを配置する最適な位置であることを示す「最適位置」という表記を加えた表示が行わしている。各セル内の上部には、集計結果が、また、下部には読み出し率が表示されている。このような表示から、ユーザは、物品２０表面に貼付された、「タグＣ」というラベルに対応したＲＦＩＤタグ２１が配置されている位置が、ＲＦＩＤタグから、低い出力強度で、より効率的に情報を読み出すことができる位置であると判断することができる。なお、図８に示すような表示においては、「タグＣ」のタグ名を、他のタグ名と異なる色を用いて表示したり、背景色を変更したりして強調表示することが、より好ましい。また、図８において、最も読み出し率が高く、電波の出力強度が最も低い場合の集計結果のセルを、他のセルと異なる背景色等を用いて強調表示している。このようにセルを強調表示する場合、この強調表示したセルに対応したタグ名を有するＲＦＩＤタグ２１が配置されている位置が、最適なＲＦＩＤタグの配置位置であることが、集計結果の表示から容易に判断できることから、「最適位置」等の表示を省略しても良い。なお、図８のように、集計結果表を表示する代わりに、「最適なタグの配置位置は、タグＣが配置されている位置です。」等の「タグＣ」の位置を知らせるダイアログ等を表示しても良い。
【００７４】
なお、上記具体例においては、各出力強度における識別情報の読み出し回数が、全て同じ回数であるため、検出部１５が読み出し率を検出する処理を省略して、全ての集計結果の中から、集計値の最も大きい集計結果を検出し、その集計結果のうちの、最も電波の出力強度が低い場合の集計結果を検出するようにしてもよい。
【００７５】
また、検出部１５を省略し、上記のような集計結果を検出する処理を省略して、図７に示すような、出力強度別の集計結果を、例えば表等を用いて出力するようにしてもよい。このようにすることで、ユーザが、集計結果の出力から、識別情報の読み出し率が最大であり、かつ、読み出しに用いられた電波が最も低い集計結果を検出して、当該集計結果に対応したＲＦＩＤタグ２１が配置されている位置が、物品２０のＲＦＩＤタグ２１を配置する最適な位置であることを判断することが可能となる。
【００７６】
なお、各出力強度によって物品２０に対する読み出し処理を繰り返す際においては、実際に倉庫等で物品を管理する際に行われる読み出し処理と同じ状態で、読み出し処理が繰り返すようにすることが、実際の使用状況と同じ条件で最適なＲＦＩＤタグを配置する位置を決める上で好ましい。
【００７７】
例えば、実際に物品に対して行われる読み出し処理が、例えば、物品やアンテナの向き等を移動させること等により、物品に対する電波を照射する相対的な位置が変更されて行われる場合、複数回のＲＦＩＤタグの読み出し処理も、梱包材に対する電波を照射する相対的な位置を変更して行われるようにすることが好ましい。
【００７８】
また、上記具体例において物品２０として用いられた段ボール等の梱包材に、実際に梱包される製品等を梱包した状態で、上述した読み出しの処理を行うようにすることがより好ましい。例えば、段ボール内に金属類等の物が入っている場合と入っていない場合とでは、入っている物の影響により、ＲＦＩＤタグ２１の配置される位置によっては、読み出し率が大きく低下する場合があるから、より実際に近い状態で、読み出し処理を行うことでより適切なＲＦＩＤタグ２１の貼り付け位置を検出することが可能となる。
【００７９】
なお、上記具体例においては、ＲＦＩＤタグ２１から読み出された識別情報を、タグ名に変換する場合について説明したが、識別情報をタグ名等に変換しなくても良く、例えば、検出部１５が検出した集計結果に対応する識別情報に対応したＲＦＩＤタグ２１が配置されている位置が、物品２０のＲＦＩＤタグ２１を配置する最適な位置であることを示す表示を、ディスプレイ１６ａを用いて行うようにしてもよい。この場合、上記具体例において、タグ名の代わりに、各ＲＦＩＤタグ２１の識別情報を記載したラベル等を、各ＲＦＩＤタグ２１を貼り付けた位置近傍に貼付しておくようにしたり、タグ名の代わりに、各ＲＦＩＤタグ２１の識別情報を、物品２０の表面やＲＦＩＤタグ２１表面に記載しておくようにしてもよい。
【００８０】
なお、上記実施の形態において、識別情報管理表の代わりに、識別情報と、ＲＦＩＤタグ２１の配置されている物品２０上の位置やエリアを指定する配置情報とを、対応付けた管理表を用意しておき、上記のタグ名の代わりに配置情報を用いるようにして、例えば、配置情報が示す位置が、物品２０のＲＦＩＤタグ２１を配置する最適な位置であることを示す表示等を行うようにしても良い。配置情報としては、例えば、「上面前」、「上面後」や、「左側面右上」、「右側面中央」などが利用可能である。このような配置情報を用いることで、物品２０上にタグ名やタグの識別情報等を表示しておく必要がなくなり、手間が削減できる。
【００８１】
また、上記具体例において、識別情報管理表の代わりに、識別情報と、ＲＦＩＤタグ２１の配置されている物品２０上の位置やエリアを指定する配置情報とを、対応付けた配置情報管理表を用意しておき、上記のタグ名の代わりに識別情報を適宜、配置情報に変換するようにして、例えば、配置情報が示す位置が、物品２０のＲＦＩＤタグ２１を配置する最適な位置であることを示す表示等を行うようにしても良い。配置情報としては、例えば、「上面前」、「上面後」や、「左側面右上」、「右側面中央」などが利用可能である。また、「左面の右から２ｃｍ、上から５ｃｍの位置」等の各面における座標等で表すようにしてもおい。このような配置情報を用いることで、物品２０上にタグ名やタグの識別情報等を表示しておく必要がなくなり、手間が削減できる。
【００８２】
以上、本実施の形態によれば、より弱い出力強度で、効率良く情報を読み出すことが可能な、物品上におけるＲＦＩＤタグを配置する位置を知ることができ、ＲＦＩＤタグを配置する最適な位置を判断することができる。
【００８３】
なお、上記具体例においては、識別情報受付部１３が、送信部１１と受信部１２とにより、複数のＲＦＩＤタグ２１から繰り返し読み出された識別情報を受け付けるようにしたが、本発明においては、送信部１１と受信部１２と同様の構成を備えた他の装置等により読み出された識別情報を、ネットワーク等を通じて受け付けるようにしても良いし、予め送信部１１と受信部１２と同様の構成を備えた他の装置等により、物品２０表面に配置された複数のＲＦＩＤタグ２１から複数回繰り返し読み出した識別情報を、記録媒体等に蓄積しておくようにし、この記録媒体に蓄積された識別情報を、順次読み出すことで、識別情報受付部１３が識別情報を受けつけるようにしても良い。
【００８４】
また、上記実施の形態において、さらに、図９に示すような、物品２０と同じ構造を有する物品であって、配置される位置が、物品２０の複数のＲＦＩＤタグ２１の配置される位置が同様であって、配置される向きが物品２０の複数のＲＦＩＤタグ２１とは異なっている、物品２０のＲＦＩＤタグ２１と同じ構造で、記録されている識別情報が異なるＲＦＩＤタグ３１を表面に備えた第二物品３０を用いて、ＲＦＩＤタグの配置する方向を判断できるようにしても良い。
【００８５】
例えば、物品２０に加えて、この第二物品３０についても、読み出しに用いられる電波の出力強度を変えて、それぞれ行われた複数回のＲＦＩＤタグの読み出し処理を行う。そして、識別情報受付部１３がこの第二物品３０の複数のＲＦＩＤタグ３１から読み出された識別情報を、物品２０について読み出された識別情報に追加して、さらに受け付けるようにする。また、集計部１４は、電波の出力強度別に、第二物品３０の表面に配置されたＲＦＩＤタグ３１から読み出された識別情報の、それぞれが読み出された回数をさらに集計する。そして、検出部１５が、物品２０についての集計結果と、第二物品３０についての集計結果との両方の集計結果のうちの、識別情報の読み出し率が最大であり、かつ、読み出しに用いられた電波が最も低い集計結果を検出する。そして、出力部１６が、検出部１５が検出した集計結果に対応した物品２０または第二物品３０のいずれか一方の、ＲＦＩＤタグが配置されている位置が、ＲＦＩＤタグを配置する最適な位置であることを示す出力を行うようにする。これにより、配置方向を変えた場合におけるＲＦＩＤタグからの読み出し結果も考慮して、読み出し率の最も高くなるＲＦＩＤタグの貼り付け位置を判断することが可能となる。
【００８６】
なお、上記実施の形態において説明したＲＦＩＤタグの配置する位置を判断する処理に用いられる物品２０、もしくはその一部として使用される梱包材として、図４に示すような、同じ構造を有して複数のＲＦＩＤタグであって、記録されている識別情報が異なる複数のＲＦＩＤタグが、予め、表面の異なる領域に配置されている梱包材を用意しておくようにしても良い。梱包材は、例えば、段ボール箱や、プラスチックの箱、包装紙やカバー等である。この場合、各ＲＦＩＤタグが配置されている位置には、上記のように、タグ名を表示しておくようにしても良い。このような段ボール等の梱包材を用意しておくことにより、ＲＦＩＤタグを配置する位置を判断するための本実施の形態に示したような処理を行う際に、複数のＲＦＩＤタグを貼り付ける手間が省略でき、処理を迅速、かつ容易に行うことができる。特に予めＲＦＩＤタグを配置しておくため、ＲＦＩＤタグの識別情報と、ＲＦＩＤタグのタグ名等の対応を調べたりする手間は、一度行っておけば、その後は省略できる。また、識別情報管理表等も、同じものが利用可能である。このため、ＲＦＩＤタグの配置を決定する毎に、ＲＦＩＤタグを貼り付けたり、識別情報管理表を作成したりする手間を削減できる。また、予めＲＦＩＤタグを配置しておくことにより、この梱包材において、ＲＦＩＤタグの識別情報と、タグ名や、配置情報等との対応を確認しておけば、識別情報管理表等が示す対応関係と、ＲＦＩＤタグ近傍に貼り付けたラベルのタグ名と、ＲＦＩＤタグの識別情報との対応関係とが、ミス等により異なってしまうことがなくなる。なお、ここで用いられる梱包材としては、倉庫や流通等において規格化されたサイズがある場合、この規格に適合する梱包材を用いることが汎用性を確保する上で好ましい。
【００８７】
また、上記と同様の梱包材を少なくとも２以上含む梱包材セットであって、各梱包材の表面に配置された複数のＲＦＩＤタグの配置されている向きが、互いに異なる梱包材セットを予め用意するようにしても良い。このような梱包材セットを用いることで、上述した第二物品等を用いた場合と同様に、ＲＦＩＤタグの配置方向を変えた場合におけるＲＦＩＤタグからの読み出し結果も考慮して、読み出し率の最も高くなるＲＦＩＤタグの貼り付け位置を判断することが可能となる。例えば、梱包材セットは、図４と図９に示した物品の梱包材のセットである。
【００８８】
また、上記実施の形態において、各処理（各機能）は、単一の装置（システム）によって集中処理されることによって実現されてもよく、あるいは、複数の装置によって分散処理されることによって実現されてもよい。
【００８９】
また、上記実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。
【００９０】
なお、上記実施の形態におけるタグ情報処理装置を実現するソフトウェアは、以下のようなプログラムである。つまり、このプログラムは、コンピュータに、物品の表面の異なる領域に配置された、同じ構造を有する複数のＲＦＩＤタグであって、記録されている識別情報が異なる複数のＲＦＩＤタグに対して、読み出しに用いられる電波の出力強度を変えてそれぞれ行われた複数回の読み出し処理により、前記ＲＦＩＤタグから読み出された前記識別情報を受け付ける識別情報受付ステップと、前記電波の出力強度別に、前記識別情報のそれぞれが読み出された回数を集計する集計ステップと、前記電波の出力強度別の、前記集計ステップによる集計結果を出力する出力ステップとを実行させるためのプログラムである。
【００９１】
また、このプログラムは、コンピュータに、物品の表面の異なる領域に配置された、同じ構造を有する複数のＲＦＩＤタグであって、記録されている識別情報が異なる複数のＲＦＩＤタグに対して、読み出しに用いられる電波の出力強度を変えてそれぞれ行われた複数回の読み出し処理により、前記ＲＦＩＤタグから読み出された前記識別情報を受け付ける識別情報受付ステップと、前記電波の出力強度別に、前記複数のタグの識別情報がそれぞれ読み出された回数を集計する集計ステップと、前記電波の出力強度別の、前記集計部の集計結果を用いて、前記識別情報が読み出し率が最大であり、かつ、読み出しに用いられた電波の出力強度が最も弱い集計結果を検出する検出ステップと、前記検出部が検出した集計結果に対応したＲＦＩＤタグが配置されている位置が、前記物品のＲＦＩＤタグを配置する最適な位置であることを示す出力を行う出力ステップとを実行させるためのプログラムである。
【００９２】
なお、上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。
【００９３】
また、このプログラムは、サーバなどからダウンロードされることによって実行されてもよく、所定の記録媒体（例えば、ＣＤ−ＲＯＭなどの光ディスクや磁気ディスク、半導体メモリなど）に記録されたプログラムが読み出されることによって実行されてもよい。
【００９４】
また、このプログラムを実行するコンピュータは、単数であってもよく、複数であってもよい。すなわち、集中処理を行ってもよく、あるいは分散処理を行ってもよい。
【００９５】
また、上記実施の形態において、一の装置に存在する２以上の通信手段（送信部や受信部など）は、物理的に一の媒体で実現されても良いことは言うまでもない。
【００９６】
本発明は、以上の実施の形態に限定されることなく、種々の変更が可能であり、それらも本発明の範囲内に包含されるものであることは言うまでもない。
【産業上の利用可能性】
【００９７】
以上のように、本発明にかかるタグ情報処理装置等は、ＲＦＩＤタグの貼り付け位置を判断するために用いられるタグ情報処理装置等として適しており、特に、弱い出力強度の電波で、効率良く情報を読み出すことが可能なＲＦＩＤタグの貼り付け位置を判断するためのタグ情報処理装置等として有用である。
【図面の簡単な説明】
【００９８】
【図１】実施の形態におけるタグ情報処理装置のブロック図
【図２】同タグ情報処理装置による処理に利用される物品の模式図
【図３】同タグ情報処理装置の動作について説明するフローチャート
【図４】同タグ情報処理装置の概念図
【図５】同タグ情報処理装置に用いられる識別情報管理表を示す図
【図６】同タグ情報処理装置に用いられる集計テーブルの例を示す図
【図７】同タグ情報処理装置に用いられる集計結果管理表を示す図
【図８】同タグ情報処理装置の表示例を示す図
【図９】同タグ情報処理装置による処理に利用される第二物品の模式図
【符号の説明】
【００９９】
１  タグ情報処理装置
１１  送信部
１２  受信部
１３  識別情報受付部
１４  集計部
１５  検出部
１６  出力部
２０  物品
２１、３１  ＲＦＩＤタグ
３０  第二物品
【図１】
2008257500.tif 000003
【図２】
2008257500.tif 000004
【図３】
2008257500.tif 000005
【図４】
2008257500.tif 000006
【図５】
2008257500.tif 000007
【図６】
2008257500.tif 000008
【図７】
2008257500.tif 000009
【図８】
2008257500.tif 000010
【図９】
2008257500.tif 000011